(57)【要約】【目的】回転プレートの自由な回動を規制する手段を有する新規な構造の抜き差しピンを提供する。【構成】本体ピン２の頭部には押しバネ３が設けられるとともに、本体ピンの先端部に形成された凹溝には回転プレート４が挿入され且つ該回転プレートは軸ピン５を中心として回動可能に設けられ、該凹溝にはさらに回転プレートの側面に弾性係合可能な回転規制部材９が設けられることを特徴とする抜き差しピン１である。回転規制部材は、軸ピンに装着されて回転プレートの側面に弾性係合する波形ワッシャまたは皿バネとすることができ、回転プレートの片側または両側に設けられる。【選択図】　　　図３
2004132459.tif 000002
【特許請求の範囲】
【請求項１】
本体ピンの頭部には押しバネが設けられるとともに、本体ピンの先端部には回転プレートが回動可能に連結された構造を有する抜き差しピンにおいて、回転プレートの自由な回動を規制する回転規制手段がさらに設けられていることを特徴とする抜き差しピン。
【請求項２】
本体ピンの頭部には押しバネが設けられるとともに、本体ピンの先端部に形成された凹溝には回転プレートが挿入され且つ該回転プレートは軸ピンを中心として回動可能に設けられ、該凹溝にはさらに回転プレートの側面に弾性係合可能な回転規制部材が設けられることを特徴とする抜き差しピン。
【請求項３】
回転規制部材が、軸ピンに装着されて回転プレートの側面に弾性係合する波形ワッシャまたは皿バネよりなることを特徴とする、請求項１または２に記載の抜き差しピン。
【請求項４】
回転規制部材が回転プレートの両側に一対設けられることを特徴とする、請求項１ないし３のいずれかに記載の抜き差しピン。
【発明の詳細な説明】
【０００１】
【発明の属する技術分野】
本発明は二部材間の連結に用いる抜き差しピンに関する。
【０００２】
【従来の技術】
従来より、クランプその他の装置において二部材を着脱可能に連結するため、またはニ部材間を可変位置に位置決めするために、抜き差しピン（トグルピンなどとも呼ばれる）が広く用いられている（たとえば下記非特許文献１参照）。
【０００３】
【非特許文献１】
株式会社スーパーツール、「吊クランプ（鋼材用）」、「角コラム用クランプ」、［ｏｎ−ｌｉｎｅ］、［平成１４年１０月７日検索］、インターネット＜ＵＲＬ：ｈｔｔｐ：／／ｗｗｗ．ｙａｍａｚｅｎ．ｃｏ．ｊｐ／ｙｚ／ＩＮＤＥＸＰＡＧＥ／ｐｄｆ／１４３７．ｐｄｆ＞
【０００４】
このような従来の抜き差しピンは、本体ピンの頭部に押しバネが設けられるとともに先端部に回転プレートが回動自在に連結された構造を有している。その用法は、回転プレートを本体ピンと整列させた状態にして、連結すべき二部材に跨って整列する連結穴に一方から差し込み、押しバネのバネ力に抗して押し込んで回転プレートの全長が連結穴の反対側から完全に出た状態にした後、回転プレートを９０度回転させて本体ピンと直交させて、本体ピンの押し込みを解除する。このようにすると、押しバネの力によって本体ピンが押し込み方向とは反対方向に移動しようとし、本体ピンの先端側で直交状態となっている回転プレートがストッパとして作用することによって二部材間の連結状態を強固に確保し、抜け落ちを防止することができる。
【０００５】
【発明が解決しようとする課題】
ところが、従来の抜き差しピンにおいては回転プレートが本体ピンに対して回動自在であるため、幾つかの使用上の不利欠点があった。
【０００６】
一つの問題は、本体ピンを挿入してゆく途中で回転プレートが傾く（回転する）ことによって本体ピンと回転プレートとの整列状態が維持されなくなる場合があり、このような状態になると本体ピンをそれ以上挿入することができなくなるので、回転プレートを整列させた後に本体ピンを再挿入することが必要となっていた。特に、中間に凹部を有する形状の鋼板同士を該凹部にて抜き差しピンで連結する場合、最初の鋼板に本体ピンを挿入するときには回転プレートの整列状態が維持されていても、最初の鋼板を通過した後、次に他方の鋼板に入る前に、回転プレートが若干回転して非整列になってしまうと、そのままでは他方の鋼板に挿入させることができず、作業性が非常に悪いものとなっていた。また、抜き差しピンを水平にして連結穴に挿入する場合には、回転プレートが自重によって回転して傾きやすいため、特にパイプ接続のために抜き差しピンを用いるような場合にパイプの内部で回転プレートが傾いて反対側に貫通させることができず、作業に不便を来すことが多かった。
【０００７】
もう一つの大きな問題は、このような抜き差しピンは、本体ピンの頭部側の押しバネによるバネ力と先端側でストッパとして機能する回転プレートとによって二部材を抜け落ち防止しつつ連結することができるものであるが、何らかの原因によって押しバネのバネ力に抗して本体ピンを押し込む力が作用して、反対側で回転プレートが本体ピンと整列するまで回転することを許容するに足る距離が部材面との間に空いてしまうと、回転プレートがフリーに回動可能な構造であるため、場合によっては回転プレートが回転して本体ピンと整列し、部材間の連結が外れて重大事故につながる恐れがあった。特に、抜き差しピンが落とし込みピンとして垂直方向に使用されるときは、本体ピンに対して直交させた状態でストッパとして機能させていても、本体ピンの頭部に働く衝撃等の外力によって本体ピンが押し込み方向に移動すると、フリーに回動可能な回転ピンが自重によって本体ピント整列する方向に回転してしまい、部材間の連結が外れてしまうことがあった。
【０００８】
【課題を解決するための手段】
そこで本発明は、上記問題を解決し、回転プレートの自由な回動を規制する手段を有する新規な構造の抜き差しピンを提供することを目的とする。
【０００９】
この目的を達成するため、請求項１にかかる本発明は、本体ピンの頭部には押しバネが設けられるとともに、本体ピンの先端部には回転プレートが回動可能に連結された構造を有する抜き差しピンにおいて、回転プレートの自由な回動を規制する回転規制手段がさらに設けられていることを特徴としている。
【００１０】
請求項２にかかる本発明は、本体ピンの頭部には押しバネが設けられるとともに、本体ピンの先端部に形成された凹溝には回転プレートが挿入され且つ該回転プレートは軸ピンを中心として回動可能に設けられ、該凹溝にはさらに回転プレートの側面に弾性係合可能な回転規制部材が設けられることを特徴とする抜き差しピンである。
【００１１】
請求項３は、請求項１または２に記載の抜き差しピンにおいて、回転規制部材が、軸ピンに装着されて回転プレートの側面に弾性係合する波形ワッシャまたは皿バネよりなることを特徴としている。
【００１２】
請求項４は、請求項１ないし３のいずれかに記載の抜き差しピンにおいて、回転規制部材が回転プレートの両側に一対設けられることを特徴としている。
【００１３】
【発明の実施の形態】
図１は本発明の一実施形態による抜き差しピンをその用法とともに示す説明図であって、抜き差しピンの回転プレートを本体ピンと整列させた状態にして連結穴に差し込む直前の状態図である。従来技術における抜き差しピンの構造と同様、この抜き差しピン１においても、本体ピン２の頭部に押しバネ３が設けられるとともに、その先端部には回転プレート４が軸ピン５の回りを回動可能に連結された構造を有している。この実施形態における押しバネ３はコーンスプリングであって、図１に示される常態から縮小させる方向に外力が加えられたときにこれに抗する押しバネ力を与える。本体ピン２の頭部にはリング６が固着されていて引き抜き操作を容易にしている。
【００１４】
抜き差しピン１の先端部は一対の対向壁面を有する二股状に成型されており、これら一対の壁面間の凹溝部に回転プレート４の基端側が挿入され、該一対の壁面に架け渡した軸ピン５の回りを回転プレート４が回転自在とされているが、壁面間の凹溝部には回転プレート４とともに波ワッシャまたは皿バネよりなる回転規制部材９が軸ピン５に回転自在に装着されていて、回転プレート４の側面に弾性係合して回転プレート４のフリーな回転を規制している。
【００１５】
この実施形態では、大口径パイプ７と小口径パイプ８の各々において径方向に貫通して開口する連結穴７ａ，８ａを整列させ、これら連結穴７ａ，８ａに抜き差しピン１を挿入して、大口径のパイプ７と小口径のパイプ８とを接続するものとしている。大口径パイプ７の連結穴７ａと小口径パイプ８の連結穴８ａは略同一の内径を有しており、それら連結穴の内径は、抜き差しピン１の本体ピン２の外径よりも若干大きいものとされている。
【００１６】
整列させた大口径パイプ７の連結穴７ａと小口径パイプ８の連結穴８ａとに抜き差しピン１を差し込むには、図１に示すように、回転プレート４を本体ピン１に対して平行に（整列状態に）する。回転プレート４の幅寸法は本体ピン１の径寸法より若干小さい（したがって連結穴７ａ，８ａの内径より若干小さい）ものとされている（図２（ｂ）を併せて参照のこと）ので、回転プレート４を整列状態にして抜き差しピン１を連結穴７ａ，８ａに挿入するに際して邪魔になることはない。回転プレート４は回転規制部材９によって自由な回転が規制されているため、抜き差しピン１の連結穴７ａ，８ａへの挿入の際に図１の整列状態が損なわれることがなく、反対側に貫通させることが容易である。
【００１７】
このようにして、整列状態を維持して抜き差しピン１を連結穴７ａ，８ａに貫通させ、押しバネ３のバネ力に抗して最奥まで押し込んだ状態が図２に示されており、この状態では抜き差しピン１の挿入側において押しバネ３が略扁平状態まで収縮しており、また、抜き差しピン１の貫通側において回転プレート４の全長が突出していて回動可能となっている。したがって、抜き差しピン１を最奥まで押し込んだ状態を維持しながら、回転規制部材９による弾性係合力（回転規制力）に抗して回転プレート４を手動で約９０度回転させて本体ピン２に直交させる。
【００１８】
その後、抜き差しピン１の押し込み状態を開放すると、押しバネ３が常態に復帰しようとするため抜き差しピン１がパイプ７，８に対して図において左方向に相対移動し、これにより、図３に示すように、直交状態となった回転プレート４が大口径パイプ７の外周面に当接してストッパとして機能する。
【００１９】
図３に示す状態は、押しバネ３のバネ力と直交状態の回転プレート４によるストッパ作用とでパイプ７，８を抜け止めしつつ連結しているが、回転プレート４は回転規制部材９によってその自由な回動が規制されているため、従来の抜き差しピンが遭遇したような使用上の不利欠点がすべて解消されている。
【００２０】
すなわち、抜き差しピン挿入時に自重や外力によって回転プレートが傾く（回転する）ことがないため、本体ピン２と回転プレート４との整列状態が維持される。このため、中間に凹部を有する形状の鋼板同士を該凹部にて抜き差しピンで連結する場合や、抜き差しピンを水平にして連結穴７ａ，８ａに挿入する場合（図１参照）にも、支障なく抜き差しピン１を連結穴に貫通させることができ、作業性が良好である。
【００２１】
また、図３の状態が得られた後に、抜き差しピン１の頭部に衝撃が加えられるなどの何らかの原因によって押しバネ３のバネ力に抗して本体ピン２を押し込む力が作用した場合であっても、回転プレート４は回転規制部材９によってその自由な回動が規制されており、手動で意図的に回転させようとしない限り図３に示す直交状態を維持するので、従来技術のように回転プレートが勝手に回転してしまって本体ピンと整列して部材間の連結が外れてしまうことがなく、これによる不慮の事故発生を未然に防止することができる。
【００２２】
両パイプ７，８同士の連結を解除するには、図３の状態から抜き差しピン１を押しバネ３に抗して最奥まで押し込んで図２の状態とし、この状態を維持しつつ回転プレート４を回転規制部材９に抗して手動で約９０度（図３において）時計方向に回転させることによって回転プレート４を元の整列状態に戻した後、リング６を持って引き抜けば、図１の状態となって、パイプ７，８の連結が解除される。
【００２３】
なお、以上の説明においては回転プレート４に対する回転規制部材９として波ワッシャまたは皿バネよりなるものを例示したが、これらに限定されるものではなく、回転プレート４の自由な回動を規制して外力が与えられない状態においてはその時点の回転角度に維持し、且つ、これを手動にて比較的容易に回転させることができる程度の弾性力を与えるものであれば、本発明の回転規制部材として用いることが可能である。たとえば、各種装置において位置決め部品として汎用されているプランジャ（スプリングプランジャ、ボールプランジャ、プレスフィットプランジャ等）を本発明の回転規制部材として用いてもよい。
【００２４】
【発明の効果】
本発明によれば、回転プレートの自由な回動を規制する手段を有する新規な構造の抜き差しピンが提供されるので、この抜き差しピンを用いて二部材を連結するために連結穴に挿入する途中で、自重や外力によって回転プレートが不意に回転してしまって貫通させることができなくなったり、あるいは、本体ピンに対して直交状態にしてストッパとして機能する連結状態が得られた後に本体ピンを押し込む方向の衝撃等が加わったときに回転プレートが不意に回転してしまって抜け落ちによる重大事故が発生する等の問題がすべて解決される。
【図面の簡単な説明】
【図１】本発明の一実施形態による抜き差しピンをその用法とともに示す説明図であって、回転プレートを本体ピンと整列させた状態にして連結穴に差し込む直前の状態図である。
【図２】この抜き差しピンを連結穴に差し込み、押しバネのバネ力に抗して押し込んで回転プレートの全長が連結穴の反対側から完全に出た状態にして、回転プレートを回転可能とした状態図（ａ）およびこのときの抜き差しピンの先端側の端面図（ｂ）である。
【図３】図２の状態から回転プレートを９０度回転させてストッパとして機能させた後に本体ピンの押し込みを解除して抜け落ちを防止した状態図（ａ）およびこのときの抜き差しピンの先端側の端面図（ｂ）である。
【符号の説明】
１　抜き差しピン
２　本体ピン
３　押しバネ
４　回転プレート
５　軸ピン
６　リング
７　大口径パイプ
７ａ　大口径パイプの連結穴
８　小口径パイプ
８ａ　小口径パイプの連結穴
９　回転規制部材
【図１】
2004132459.tif 000003
【図２】
2004132459.tif 000004
【図３】
2004132459.tif 000005